(57)【要約】【課題】生産性や製品歩留りが顕著に向上されたパンケーキを提供する。【解決手段】テープハブ２に磁気テープ１がロール状に巻回されてなるパンケーキ３であって、テープハブ２は、軸心方向の荷重に対するテープハブの撓み強度が一側面側と他側面側とで異なるように形成されており、磁気テープ１が湾曲癖を付けられて巻回される。【選択図】　図４
2004005774.tif 000002
【特許請求の範囲】
【請求項１】
テープハブに磁気テープがロール状に巻回されてなるパンケーキであって、
前記テープハブは、軸心方向の荷重に対する該テープハブの撓み強度が一側面側と他側面側とで異なるように形成されており、前記磁気テープが湾曲癖を付けられて巻回されていることを特徴とするパンケーキ。
【発明の詳細な説明】
【０００１】
【発明の属する技術分野】
本発明はパンケーキ（テープハブに磁気テープを巻回したテープ巻取体）に係り、特に、カセットテープやビデオテープを始めとして、コンピュータのデータバックアップ用のパンケーキに関する。
【０００２】
【従来の技術】
カセットテープやビデオテープを始めとして、コンピュータのデータバックアップ用にも使用されている各種のパンケーキ（テープハブに磁気テープを巻回したテープ巻取体）は、ロール状に巻回された幅広な帯状の磁気テープ原反を、送り出し側から引き出して搬送させながら裁断部で複数の幅狭な磁気テープに裁断して、巻き取り側のフランジレス型のテープハブに巻き取ることにより製造される。
【０００３】
このようなテープハブに磁気テープを巻回したテープ巻取体は、業界内では一般に前記したようにパンケーキと称呼されている。このパンケーキは、種々の処理がなされるため、何回か巻き返しが行なわれ、最終出荷形態としてカセットに巻き込まれて出荷されることが多い。
【０００４】
【発明が解決しようとする課題】
しかしながら、カセットに巻き込まれた形態での磁気テープの巻き姿が良くないと、輸送中に磁気テープのエッジが折れたり、磁気再生装置等で磁気テープを使用する際に磁気テープの走行性が悪くなったりするという問題がある。すなわち、カセットに巻き込まれた形態での磁気テープの巻き姿は、磁気テープ製造過程での巻き姿の影響を受ける。
【０００５】
裁断部で裁断された磁気テープは巻取テープハブに高速で巻き取られ、しかも一度に複数本巻き取らなくてはならないことから巻き取りの機械精度を出しにくい。このため、裁断装置の巻き取り側のテープハブに巻き取られた磁気テープの巻き面がきれいに巻かれずに、微小にズレた状態で重ね巻きされ易いので、巻き癖がついていることが多い。
【０００６】
また、裁断部で裁断される磁気テープ原反は、磁気テープ原反を製造する巻取工程での巻き品質を良くするために、ロール両端部の厚さよりもロール中央部の厚さが厚い中高ロール形状に巻回されており、裁断された磁気テープには、図６（ａ）、（ｂ）に示されるように、長手方向に沿って湾曲癖がつき易い。
【０００７】
図示のように、磁気テープを平坦面上に置いたときの所定直線長さＬに対する湾曲幅Ｄで湾曲程度が表される。この湾曲は、最終出荷形態としてカセットに巻き込まれた状態で、磁気テープ巻回体が上に凸状を呈するものが＋と、上に凹状を呈するものが−と称されている。
【０００８】
中高ロール形状の磁気テープ原反から裁断された磁気テープ１は、採取する磁気テープ原反の幅方向部位により湾曲形状が異なる。そして、図６（ａ）に示される＋方向への湾曲が、最終出荷形態としてカセットに巻き込まれた状態で巻姿が良いとされ、図６（ｂ）に示される−方向への湾曲は巻姿が悪いとされている。
【０００９】
湾曲癖のある磁気テープ１をテープハブ２に巻き取ってパンケーキ３を製造した場合、カセット４に巻き込まれた状態では、＋方向への湾曲を有する磁気テープ１は図７（ａ）に示される形状となり、−方向への湾曲を有する磁気テープ１は図７（ｂ）に示される形状となる。
【００１０】
このように、磁気テープ原反の中高ロール形状等に起因して、＋方向への湾曲、−方向への湾曲、及び磁気テープ原反の幅方向中央部近傍より採取された湾曲のないものが生じる。これらは中高ロール形状や磁気テープベースの厚さムラ等に起因してほぼ一定確率で生じ、好ましいとされる＋方向への湾曲のものだけを製造する訳にはいかない。そのため、＋方向への湾曲のものだけを製造するには、選別工程や巻き返し工程が必要となる。
【００１１】
このような好ましい＋方向への湾曲のものだけを製造する技術として、たとえば、特開平９−１３８９４５号公報に開示されているように、巻取軸（テープハブに相当する）の一端側から他端側へ軸径の異なるテーパ状の巻取面を形成して対処する手段が開示されている。
【００１２】
しかし、この手段では、テーパ状の巻取面を使用するため、これに対応したガイドローラ等の調整が必要であり、セッティング等に手間を要し生産性が悪い。また、巻取軸が高価になるという問題もある。
【００１３】
本発明は、このような事情に鑑みてなされたもので、磁気テープ原反から裁断された全ての磁気テープを、テープハブに巻き姿良く巻き込むことができ、製品歩留りを顕著に向上させることができるパンケーキを提供することを目的とする。
【００１４】
【課題を解決するための手段】
本発明は、前記目的を達成するために、テープハブに磁気テープがロール状に巻回されてなるパンケーキであって、前記テープハブは、軸心方向の荷重に対する該テープハブの撓み強度が一側面側と他側面側とで異なるように形成されており、前記磁気テープが湾曲癖を付けられて巻回されていることを特徴とするパンケーキを提供する。
【００１５】
ここで「軸心方向の荷重に対する撓み強度」とは、テープハブ外周に軸心方向の荷重が加わった際にテープハブが軸心方向に変形する度合いをいい、変形が少ない場合を撓み強度が高いとし、変形が多い場合を撓み強度が低いとする。
【００１６】
本発明によれば、テープハブの軸心方向の荷重に対する撓み強度を一側面側と他側面側とで異ならせているので、磁気テープがテープハブに巻き取られ、テープハブに軸心方向の荷重が加わった際に、テープハブの撓みが一側面側と他側面側とで異なる。これにより、磁気テープは湾曲を有するようにテンションが加えられながらテープハブに巻き取られる。
【００１７】
したがって、磁気テープが＋方向への湾曲を有するようにテープハブの向きをセットすれば、磁気テープが＋方向への湾曲を有するもの、−方向への湾曲を有するもの、及び湾曲のないもののいずれであっても、強制的に＋方向への湾曲を有するよう巻き込まれる。これにより、テープハブに巻き姿良く巻き取ることができ、パンケーキの製品歩留りを顕著に向上させることができる。
【００１８】
【発明の実施の形態】
以下、添付図面にしたがって本発明に係るパンケーキの製造方法の好ましい実施の形態について詳説する。
【００１９】
本発明のパンケーキに適用される製造装置は、主として、ロール状に巻回された幅広な帯状の磁気テープ原反を複数の幅狭な磁気テープに裁断する裁断装置１０と、磁気テープをテープハブに巻き取る巻き取り装置５０と、で構成される。
【００２０】
図１は主に裁断装置１０の一例を示す概略図であり、図２は裁断部１４の側面図であり、図３は巻き取り装置５０の一例を示す概略図である。図１に示されるように裁断装置１０は、主として、送り出し部１１、裁断部１４で構成される。なお、図１において、巻き取り装置５０の図示は省略されている。
【００２１】
送り出し部１１の巻芯１２には、ロール状に巻回された磁気テープ原反２０が装着される。磁気テープ原反２０は、通常、非磁性支持体上に強磁性微粒子を含む磁性層が塗布法や真空蒸着法等により形成され、その磁性層に配向処理、乾燥処理、表面処理等が行われることによって製造される。
【００２２】
裁断部１４は、幅広で帯状の磁気テープ原反２０を上下一対の回転刃３０、３２により複数本の磁気テープ１、１、…に裁断する装置であり、図２に示されるように、受け刃としてローラ状に形成された複数の回転下刃３０、３０…と、回転下刃３０との間で磁気テープ原反２０に剪断力を与えて裁断する薄円盤状の複数の回転上刃３２、３２…とで構成される。
【００２３】
回転下刃３０は、下側シャフト３４にスペーサ３６を介して嵌合固定され、回転上刃３２は、下側シャフト３４と平行な上側シャフト３８にスペーサ４０を介して嵌合固定され、回転上刃３２と回転下刃３０との刃先部分が互いに重なり合うように配置されている。そして、回転上刃３２は図示しないバネにより図２の軸方向右側に付勢され、回転上刃３２の刃先部分が回転下刃３０の刃先部分に当接した状態で位置決めされる。
【００２４】
上側シャフト３８と下側シャフト３４はそれぞれ回転速度を自由に可変可能なモータ４１、４３に接続され、回転上刃３２と回転下刃３０の周速度を個別に可変できるようになっている。
【００２５】
送り出し部１１と裁断部１４との間には、磁気テープ原反２０の搬送路を形成する複数のガイドローラ２２、２２、…と、磁気テープ原反２０の搬送速度を規制するグランドサクションドラム２４が設けられる。グランドサクションドラム２４は、回転速度を自由に可変可能なモータ（図示せず）に接続され、グランドサクションドラム２４の周面に磁気テープ原反２０を吸着して回転することにより、磁気テープ原反２０の搬送速度を任意に可変する。
【００２６】
そして、テープハブ２のボス５の回転速度は、このグランドサクションドラム２４の周速度を基準として制御される。磁気テープ原反２０の搬送速度を規制する手段としてはグランドサクションドラム２４に限定されず、磁気テープ原反２０を挟持搬送するピンチローラを使用することもできる。
【００２７】
裁断部１４とそれぞれのテープハブ２との間にはテンションローラ２８が設けられ、裁断時における磁気テープ原反２０の搬送方向のテンションが任意に調整される。
【００２８】
図３（ａ）は巻き取り装置５０の正面図であり、（ｂ）は側面図である。同図（ｂ）において、説明の便宜のため、磁気テープ１の図示は省略してある。
【００２９】
図３に示されるように、磁気テープ供給手段である巻き取り装置５０は、装置の本体であるアーム５２と、アーム５２の一端に回動自在に設けられ、テープハブ２に磁気テープ１を供給するタッチローラ５４と、アーム５２の中央部に回動自在に設けられ、磁気テープ１をタッチローラ５４に供給するガイドローラ５６と、アーム５２の他端に設けられ、図示しない躯体に固定されている軸６０に回動自在に嵌着される軸受部５８と、より構成される。
【００３０】
テープハブ２は図示しない駆動手段によって図３（ａ）の矢示の方向に回転駆動される。アーム５２は軸６０を中心に図示しない付勢手段によって図３（ａ）のＡ方向に付勢されることにより、タッチローラ５４が磁気テープ１を介してテープハブ２に押付けられている。テープハブ２に巻き取られる磁気テープ１の量が増えるにつれて、外径は増大していく。したがって、それに伴い、アーム５２は軸６０を中心に図３（ａ）のＢ方向に移動していく。
【００３１】
タッチローラ５４には独立の駆動手段は設けられておらず、タッチローラ５４は磁気テープ１の搬送に伴い矢示の方向につれ回りする。なお、巻き取り装置５０の構成は、本実施形態に拘束されるものではなく、各種の構成が採用できる。
【００３２】
図４は、本発明に適用されるテープハブ２等の断面図である。このうち、（ａ）〜（ｃ）が本発明に適用されるテープハブ２であり、（ｄ）が従来例のテープハブである。なお、いずれの図も上半分のみ断面で表してある。
【００３３】
同図（ｄ）に示される従来例のテープハブのボス１５は、左右対称の断面形状となっている。したがって、磁気テープ１がテープハブに巻き付き、ボス１５に軸心方向の荷重が加わった際にも通常はボス１５の変形はない。
【００３４】
これに対し、本発明に適用されるテープハブ２においては、ボス５を縦弾性係数（ヤング率）の比較的小さい材料で形成するとともに、各種工夫をこらし、ボス５の軸心方向の荷重に対する撓み強度を一側面側と他側面側とで異ならせている。したがって、磁気テープ１がテープハブ２に巻き付き、ボス５に軸心方向の荷重が加わった際に、ボス５の撓みが一側面側と他側面側とで異なる。これにより、磁気テープ１は湾曲を有するようにテンションが加えられながらテープハブ２に巻き取られる。
【００３５】
同図（ａ）のボス５は、断面を略コ字状としている。これにより、左側面側から右側面側に行くにしたがって、軸心方向の荷重に対する撓み強度が徐々に減少するような構成となっている。
【００３６】
同図（ｂ）のボス５は、円筒断面であり、左右方向に３分割されており、異なる材質で構成されている。そして、左側面側から右側面側に向かって段階的に縦弾性係数の低い材質が選択されている。これにより、左側面側から右側面側に行くにしたがって、軸心方向の荷重に対する撓み強度が段階的に減少するような構成となっている。なお、分割数は図示の構成に限定されるものではない。
【００３７】
同図（ｃ）のボス５は、円筒断面であり、同一材質の発泡性の材料、たとえば、ポリウレタン樹脂で構成されている。そして、左側面側から右側面側に向かって発泡割合が増加するように形成されている。これにより、左側面側から右側面側に行くにしたがって、軸心方向の荷重に対する撓み強度が徐々に減少するような構成となっている。なお、発泡割合のコントロールには、泡の数及び泡のサイズの両方が可能である。
【００３８】
以上のように、テープハブ２におけるボス５の構成は任意に選択できるが、磁気テープ１がテープハブ２に巻き付き、テープハブ２のボス５に軸心方向の荷重が加わった際に、ボス５の撓みが一側面側と他側面側とで１０〜３００μｍ異なるような構成が好ましいことが実験により確認されている。
【００３９】
次に、上記のように構成されたパンケーキ３の製造装置の作用を説明する。
【００４０】
まず、送り出し部１１において巻芯１２に巻回されたロール状の磁気テープ原反２０は、送り出し部１１から連続的に引き出され、裁断部１４に搬送される。そして、裁断部１４で複数本の磁気テープ１に裁断されてテープハブ２のボス５に巻き取られる。これにより、例えば磁気テープ原反２０が１００〜５００本に裁断され、規定の幅寸法（例えば１２．６５ｍｍ、２５．４ｍｍ、３．８１ｍｍ等）の磁気テープ１が製造される。
【００４１】
図５は、パンケーキ３の断面形状を示し、（ａ）は製造直後の形状を示し、（ｂ）は製造後、所定時間のエージングを経たときのパラボラ状となっている形状を示す。
【００４２】
ここで、磁気テープ１の湾曲方向を巻き込み規制方向に一致させることで、湾曲癖のある磁気テープ１をカセット４にきれいに巻き込むことができる理由を説明する。
【００４３】
湾曲癖が、図６（ａ）の＋方向、（ｂ）の−方向の一方向のみにあるような静的な湾曲癖の磁気テープ１を長手方向に伸ばすと、湾曲した＋方向又は−方向の一方向のみに付勢力が働く。ちなみに、静的な湾曲の反対の動的な湾曲とは、磁気テープ１を走行させたときの湾曲であり、静的な湾曲より短波長のものをいう。
【００４４】
一方、磁気テープ１を巻き取り装置５０でテープハブ２に巻き取る場合には、テープハブ２側面に磁気テープ幅方向の一端側が当接して位置決めされることにより、磁気テープ１の巻き取り規制がなされる。
【００４５】
したがって、磁気テープ１の湾曲方向、すなわち付勢力の方向が、巻き取り規制方向に一致するように磁気テープ１を巻き取れば、磁気テープ１がカセット４の面又はテープハブ２側面に位置決めされながら巻き取られるので、巻き姿を良くすることができる。
【００４６】
逆に、磁気テープ１の湾曲方向が巻き取り規制方向とは反対になるように磁気テープ１を巻き取れば、磁気テープ１はカセット４の面又はテープハブ２側面から離れる方向に付勢されているので、磁気テープ１がカセット４の面又はテープハブ２側面に位置決めされにくくなり、巻き姿が悪くなる。
【００４７】
以上、本発明に係るパンケーキの製造方法の実施形態の例について説明したが、本発明は上記実施形態の例に限定されるものではなく、各種の態様が採り得る。
【００４８】
たとえば、本実施形態では、磁気テープ原反２０より裁断部１４を経て巻き取り装置５０により巻込まれる態様が採られているが、予めスリット処理され、所定幅の磁気テープ１の状態から送り出される態様であってもよい。
【００４９】
また、本実施形態ではハブ２としてフランジレスのものが使用されているが、フランジ付きのハブを使用してもよい。
【００５０】
更に、本発明に以下の付加工程を加えることも可能である。すなわち、磁気テープ１の材質によっては縦弾性係数（ヤング率）が高く通常の状態では湾曲癖をつけにくいものがある。このような磁気テープ１に対して、テープハブ２に巻き込む前に加熱処理を施せば、湾曲癖をつけやすくできる。
【００５１】
【実施例】
上記構成のパンケーキの製造装置を使用して、パンケーキ３の製造を行い、３日（７２時間）エージングした後に評価を行った。このとき使用したテープハブ２は、図４（ａ）に示される断面形状のものである。同時に、従来のテープハブ（図４（ｄ）に示される断面形状のもの）を使用した比較例についても評価を行った。使用した磁気テープ１は、いずれもテープ幅が１２．６５ｍｍ（１／２インチ）のものである。
【００５２】
本発明のテープハブ２、従来のテープハブ、のいずれについても、同一条件で３０回テストを行い、図６に示される所定直線長さＬ（１ｍ）に対する湾曲幅Ｄ（単位：ｍｍ）の平均値を求めた。その結果によれば、本発明のテープハブ２では湾曲幅Ｄは＋３．０ｍｍであり良好な結果であった。一方、従来のテープハブでは−０．５ｍｍであり好ましくない結果であった。
【００５３】
【発明の効果】
以上説明したように、本発明によれば、テープハブの軸心方向の荷重に対する撓み強度を一側面側と他側面側とで異ならせているので、磁気テープがテープハブに巻き取られ、テープハブに軸心方向の荷重が加わった際に、テープハブの撓みが一側面側と他側面側とで異なる。これにより、磁気テープは湾曲を有するようにテンションが加えられながらテープハブに巻き取られる。
【００５４】
したがって、磁気テープが＋方向への湾曲を有するようにテープハブの向きをセットすれば、磁気テープが＋方向への湾曲を有するもの、−方向への湾曲を有するもの、及び湾曲のないもののいずれであっても、強制的に＋方向への湾曲を有するよう巻き込まれる。これにより、テープハブに巻き姿良く巻き取ることができ、パンケーキの製品歩留りを顕著に向上させることができる。
【図面の簡単な説明】
【図１】パンケーキの製造装置のうちの裁断装置の構成図
【図２】裁断部の側面図
【図３】パンケーキの製造装置のうちの巻き取り装置の構成図
【図４】テープハブの断面図
【図５】パンケーキの断面図
【図６】磁気テープの湾曲方向を説明する説明図
【図７】パンケーキをカセットに収納した状態の断面図
【符号の説明】
１…磁気テープ、２…テープハブ、３…パンケーキ、４…カセット、５…ボス、１０…裁断装置、１１…送り出し部、１４…裁断部、２０…磁気テープ原反、５０…巻き取り装置（磁気テープ供給手段）
【図１】
2004005774.tif 000003
【図２】
2004005774.tif 000004
【図３】
2004005774.tif 000005
【図４】
2004005774.tif 000006
【図５】
2004005774.tif 000007
【図６】
2004005774.tif 000008
【図７】
2004005774.tif 000009